(57)【特許請求の範囲】
【請求項１】
一対のベルト挿通部（３３）（３４）を有する容器と、該ベルト挿通部（３３）（３４）に取り付けられたベルト（２２）からなり、前記ベルト（２２）は前記一対のベルト挿通部（３３）（３４）間に渡るベルト基部（３５）と、各ベルト挿通部（３３）（３４）において折り返されたベルト端部（３６）（３７）と、該ベルト端部（３６）（３７）のベルトカバー部（２３）と、ベルト長さ調節部（５０）からなる容器のベルト構造において、
前記のベルトカバー部（２３）は、前記ベルト基部（３５）に取り付けられたカバー基部（３８）と、該カバー基部（３８）の両側部に設けられたカバー片（３９）（４０）と、該カバー片（３９）（４０）の相互の重なり面にそれぞれ装着された固定用面ファスナー（３９ａ）（４０ａ）によって構成され、前記のベルト長さ調節部（５０）は相互に重ねられた前記ベルト端部（３６）（３７）の対向面にそれぞれ装着された調節用面ファスナー（３６ａ）（３７ａ）により構成され、前記ベルト長さ調節部（５０）は、前記カバー基部（３８）と両カバー片（３９）（４０）とによって挟持され、前記カバー基部（３８）の外面に前記ベルト基部（３５）が固着され、その固着されたベルト基部（３５）を覆う中央カバー片（４１）が該カバー基部（３８）の外面に固着されたことを特徴とする容器のベルト構造。
【請求項２】
前記の容器が液体容器（２１）であり、前記ベルト挿通部（３３）（３４）が該液体容器（２１）の胴部（２５）の高さ方向に離れて設けられ、前記ベルト基部（３５）とその上に折り返されたベルト端部（３６）（３７）及びベルト長さ調節部（５０）及びベルトカバー部（２３）によってハンドル（２４）が構成され、該ハンドル（２４）と胴部（２５）との間のすき間Ｗが使用者の手を挿入し得る程度に設定され、前記の液体容器（２１）の上端部に飲み口（２８）が設けられ、かつ前記カバー基部（３８）が前記ベルト（２２）より幅広く形成され甲当て部を形成していることを特徴とする請求項１に記載の容器のベルト構造。
【請求項３】
前記中央カバー片（４１）とこれに対向した一方のベルト端部（３７）の対向面に結合用面ファスナー（４１ａ）（３７ｂ）がそれぞれ装着され、該結合用面ファスナー（４１ａ）（３７ｂ）により中央カバー片（４１）と一方のベルト端部（３７）が結合されたことを特徴とする請求項１に記載の容器のベルト構造。
【請求項４】
前記中央カバー片（４１）とこれに対向した一方のベルト端部（３７）の対向面に結合用面ファスナー（４１ａ）（３７ｂ）がそれぞれ装着され、該結合用面ファスナー（４１ａ）（３７ｂ）により中央カバー片（４１）と一方のベルト端部（３７）が結合されたことを特徴とする請求項２に記載の容器のベルト構造。
【発明の詳細な説明】
【技術分野】
【０００１】
この発明は、ポットなどの液体容器の携行や片手飲み等の便宜のために設けられるベルト構造に関するものである。
【背景技術】
【０００２】
水筒、ポット、ランチジャー等の携行の便宜のために、従来から、これらの容器に肩掛け用ベルトを取り付けることが行われ、また、これらの容器を片手で携行したり片手飲みしたりするための便宜のため、容器胴部の長さ方向に沿ったハンドルを取り付けることも従来から行われている。
【０００３】
前記の肩掛け用ベルトに関しては、ランチジャー等について、必要に応じてそのベルトを短縮させ手提げ式に変更して把持できるようにしたものが知られている（特許文献１、特許文献２）。
【０００４】
特許文献１のベルト構造は、図１０に示したように、ベルト１の両端部を２個所のベルト挿通部２、２に挿通して折り返し、それぞれ留め具３、３で長さ調節可能に固定した構造となっている。前記ベルト１の中央部分に３枚折り重ねられるカバー部材４が取り付けられ、そのカバー部材４の内面に取り付けられたベルト挿通部６にベルト１を挿通するとともに左右のカバー部を折り重ね、各カバー部に装着された面ファスナー５、５’によってカバー部相互を着脱自在に結合するようにしている。ベルト１を短縮する場合は、余分となったベルト端部１’を幾重にも折り畳み、前記のカバー部材４の中に包み込む。
【０００５】
特許文献２のベルト構造も同様の構成であるが、この場合はベルト両端部を留め具を用いて長さ調節可能に結合し、その結合部分に面ファスナー付きのカバー部材を装着するようにしたものである。
【０００６】
なお、上記いずれの場合も、カバー部材はベルト端部を単にカバーするだけでなく、肩パットやグリップの機能を有するものである。
【０００７】
また、液体容器にハンドルを取り付けたものは、単にこれを片手で把持してポットを携行するために使用されるだけでなく、そのハンドルとポット胴部の間に片方の手を差し入れて胴部を把持し、そのまま容器を持ち上げ、いわゆる片手飲みする場合に、手の甲をハンドルの内面で支持することにより、安定良く胴部を把持できるようにしたものである。
【０００８】
しかし、前記のハンドルは合成樹脂の成形品によって形成されるので、長さ調整が困難であるほか、剛性が高いために手の甲に対する触感に柔軟性がなく、また樹脂成形が必要であること、取り付け構造が複雑であること等からコスト高になる等の問題があった。
【０００９】
合成樹脂製ハンドルの前記の問題を解消するために、液体容器のハンドルを繊維ベルトで構成したものが知られている（特許文献３参照）。この場合のハンドル構造は、図１１に示したように、肩部材側のプラグ７にベルト８の始端部９を挿通してリベット１０で固定し、底部材側のプラグ７’に挿通したベルト８を折り返し、折り返したベルト８の終端部１１を前記プラグ７のもう一つの挿通部に挿通して折り返し、折り返した終端部１１を内側ベルト部８aと外側ベルト部８ｂとの間で挟持するようにしている。前記のプラグ７は肩部材側ソケット１２に、またプラグ７’は底部材側ソケット１２’にそれぞれ着脱自在に差し込まれる。ベルト８の長さ調節は、肩部材側のプラグ７の挿通部分において終端部１１を出し入れさせることにより行われる。
【特許文献１】特開２００５−１１０８２７号公報（図２、図５、段落００３６）
【特許文献２】実公昭６４−３３７９号公報（図１から図３、「考案の実施例」）
【特許文献３】特開２００３−１４４３３７号公報（図１、図４、段落００１７、００２２）
【発明の開示】
【発明が解決しようとする課題】
【００１０】
特許文献１及び特許文献２に開示されたベルト構造は、容器とベルトを結合するために調整具を兼ねた留め具が必要となり、コスト高になる問題がある。また、その留め具によって容器に固定されるので、ベルトを容器から容易に分離させることができず、したがってベルトのみを外して洗濯等の手入れをすることが容易にできない不便もある。
【００１１】
また、特許文献３に開示されたハンドル構造は、ソケット１２、１２’やプラグ７、７’、リベット１０等が必要であり、これらの部品によってコスト高になる問題があり、また、プラグ７とベルト８はリベット１０で結合されているため、ベルト８をプラグ７から分離させることができず、ベルト８単独での洗濯等の手入れがし難い不便がある。
【００１２】
そこで、この発明は、ベルトを容器に取り付ける手段としての留め具、ソケット、プラグ、リベット等の部品を不要としてコストの低減を図り、また、ベルトを容器から簡単に分離できるようにして容易に手入れができるようにした容器のベルト構造を提供することを課題とする。
【課題を解決するための手段】
【００１３】
前記の課題を解決するために、この発明は、一対のベルト挿通部３３、３４を有する容器と、該ベルト挿通部３３、３４に挿通して取り付けられたベルト２２からなり、前記ベルト２２は前記一対のベルト挿通部３３、３４間に渡るベルト基部３５と、各ベルト挿通部３３、３４において折り返されたベルト端部３６、３７と、該ベルト端部３６、３７のベルトカバー部２３と、ベルト長さ調節部５０からなる容器のベルト構造において、前記のベルトカバー部２３は、前記ベルト基部３５に取り付けられたカバー基部３８と、該カバー基部３８の両側部に設けられカバー片３９、４０と、該両側カバー片３９、４０の相互の重なり面にそれぞれ装着された固定用面ファスナー３９ａ、４０ａによって構成され、前記のベルト長さ調節部５０は、相互に重ねられた前記ベルト端部３６、３７の対向面にそれぞれ装着された調節用面ファスナー３６ａ、３７ａにより構成され、前記ベルト長さ調節部５０が前記カバー基部３８と両カバー片３９、４０とによって挟持された構成とした。
【００１４】
上記のベルト構造を備えた容器は、容器に設けられた一対のベルト挿通部３３，３４間に渡るベルト基部３５と、調節用面ファスナー３６ａ、３７ａによって結合された両方のベルト端部３６、３７が、カバー基部３８と一対のカバー片３９、４０とからなるベルトカバー部２３に包まれて一体化された状態で容器に取り付けられる。ベルト２２の長さを用途に応じて適宜設定することにより、肩掛け用、吊り下げ用、ハンドル用等の形式をとることができる。また、これらの形式ごとに、ベルト長さ調節部５０を構成する調節用面ファスナー３６ａ、３７ａの結合位置を変えることで長さの調節を行うことができる。
【００１５】
また、前記の容器が液体容器２１であり、前記ベルト挿通部３３、３４が該液体容器２１の胴部２５の高さ方向に離れて設けられ、前記ベルト基部３５とその上に折り返された両方のベルト端部３６、３７及びベルト長さ調節部５０及びベルトカバー部２３によってハンドル２４が構成され、該ハンドル２４と胴部２５との間のすき間Ｗが使用者の手を挿入し得る程度に設定された構成を採ることができる。この構成によるとハンドル２４を把持し液体容器２１を横向き（胴部２５が水平になる向き）で携行することができる。また調節用面ファスナー３６ａ、３７ａの結合位置を変えることにより、ハンドル２４と胴部２５の間のすき間Ｗを適宜調整することができる。
【００１６】
さらに、前記の液体容器２１の上端部に飲み口２８が設けられ、かつ前記カバー基部３８が前記ベルト２２より幅広く形成され甲当て部となっている構成をとると、ハンドル２４を把持して片手飲みすることができ、この場合、甲当て部により手の甲が支持されるので安定良く容器を把持することができる。
【００１７】
なお、前記カバー基部３８の外面に前記ベルト基部３５が固着され、その固着されたベルト基部３５を覆う中央カバー片４１が該カバー基部３８の外面に前記ベルト基部３５とともに固着された構成を採ると、中央カバー片４１によりベルト基部３５がカバーされるので体裁がよい。
【００１８】
また、前記中央カバー片４１とこれに対向した一方のベルト端部３７の対向面に結合用面ファスナー４１ａ、３７ｂがそれぞれ装着され、該結合用面ファスナー４１ａ、３７ｂにより中央カバー片４１と一方のベルト端部３７が結合一体化された構成をとると、ベルト２２とカバー基部３８との一体化が一層確実に行われる。
【発明の効果】
【００１９】
以上のように、この発明に係る容器のベルト構造によれば、金属製又は合成樹脂製等の部品によることなく、これらの部品より安価な面ファスナーを用いてベルトの長さ調節とベルト端部のカバーを行うことができるので、低コストのベルト構造を提供することができる。また、面ファスナーによる結合を外すことにより、ベルトを長さ調整部、ベルトカバー部とともに容器から分離することができ、長さ調節部とベルトカバー部が一体となったベルトを容易に手入れを施すことができる。
【００２０】
さらに、ベルトの長さを適宜設定することにより、肩掛け形式、吊り持ち形式、ハンドル形式等の各種形式を採ることができる。
【発明を実施するための最良の形態】
【００２１】
以下、添付図面に基づいてこの発明の実施例１について説明する。
【実施例１】
【００２２】
図１から図７に示した実施例１のベルト構造は、液体容器２１に対し、ベルト２２とベルトカバー部２３等によって構成されたハンドル２４（図４、図５参照）を取り付けるようにしたものである。
【００２３】
液体容器２１は保温ポットからなり、胴部２５の上端部に設けた肩部材２６に栓体２７をねじ結合により固定し、その栓体２７上面の偏芯位置に飲み口２８が設けられている。飲み口２８のキャップ２９は紐３１により栓カバー部３０に結合される。前記胴部２５の下端には底部材３２が設けられ、前記肩部材２６と底部材３２には、外方に突き出したベルト挿通部３３、３４がそれぞれ設けられる。これらのベルト挿通部３３、３４は飲み口２８に対して周方向に大体９０度離れた位置において上下に対向して設けられ、それぞれ挿通孔３３ａ、３４ａが設けられる。
【００２４】
前記のハンドル２４を構成するベルト２２は、ナイロン繊維等で構成された繊維ベルトである。皮革、合成皮革、合成樹脂等で形成したものであってもよい。繊維ベルトは、適当な柔軟性、耐摩擦性及び十分な強度があるとともに、ベルトカバー部２３と縫着するのに適している。
【００２５】
ベルトカバー部２３は前記ベルト２２の長さ方向の中間部に取り付けられる。そのベルトカバー部２３から延び出したベルト２２の両端部が一方のベルト挿通部３３に対してはその下方から（図１の矢印参照）、他方のベルト挿通部３４に対してはその上方からそれぞれそれらの挿通孔３３ａ、３４ａに挿通され、それぞれ外方に引き出してベルトカバー部２３側に折り返される。両方のベルト挿通部３３、３４の間に渡るベルト２２の部分をベルト基部３５と称し、各ベルト挿通部３３、３４で折り返された部分をベルト端部３６、３７と称する。ベルト端部３６、３７は相互に重なる範囲があるように、ベルト２２の長さが設定されている（図２参照）。
【００２６】
前記の各ベルト端部３６、３７の相互に重ね合わされる対向面にそれぞれ調節用面ファスナー３６ａ、３７ａが装着される。これらの調節用面ファスナー３６ａ、３７ａの一方が雄ファスナーであり、他方が雌ファスナーである。これらの調節用面ファスナー３６ａ、３７ａがハンドル２４の長さ調節部５０（図１、図２（ａ）（ｂ）参照）を構成する。
【００２７】
前記のベルトカバー部２３は、図１に示したように、ベルト２２より幅の広いカバー基部３８と、そのカバー基部３８の長さ方向の左右両側縁に沿って設けられた一対のカバー片３９、４０とからなる。図示の場合、各カバー片３９、４０は、中央カバー片４１と一体の１枚のシートにより構成され、中央カバー片４１を中心にして縦に三つ折りされたものを示している。中央カバー片４１はカバー基部３８上に沿わせたベルト基部３５上をカバーするように当てられ、縫目４２により中央カバー片４１とベルト基部３５がカバー基部３８に縫着される。同時に中央カバー片４１と両側カバー片３９、４０の境界部分が縫目４２によりカバー基部３８に縫着される。
【００２８】
前記両側カバー片３９、４０は中央カバー片４１上に折り重ねられるが、その折り重ねられる対向面にそれぞれ固定用面ファスナー３９ａ、４０ａが装着される（図２（ａ）参照）。また、中央カバー片４１と一方のハンドル端部３７の対向面にそれぞれ結合用面ファスナー４１ａ、３７ｂが装着される（図１、図２（ｂ）参照）。
【００２９】
実施例１のベルト構造は以上のようなものであり、図１に示したように、液体容器２１から分離されたハンドル２４は、ベルト２２の長さ方向中間部にベルトカバー部２３が縫着され、ベルト端部３６、３７に装着した調節用面ファスナー３６ａ、３７ａが長さ調節部５０を構成している。この状態のハンドル２４を液体容器２１の胴部２５に取り付ける場合、両方のベルト端部３６、３７をそれぞれベルト挿通部３３の挿通孔３３ａにはその下方から、またベルト挿通部３４の挿通孔３４ａにはその上部から挿通して折り返す。折り返した両方のベルト端部３６、３７を、図２に示したようにカバー基部３８の中央カバー片４１上において重ねると、一方のベルト端部３７と中央カバー片４１の各結合用面ファスナー３７ｂ、４１ａが結合される。その上にベルト端部３６を折り重ねると、ベルト端部３６、３７の各調節用面ファスナー３６ａ、３７ａが結合される（図２（ａ）（ｂ）参照）。調節用面ファスナー３６ａ、３７ａの長さ方向の重なり量をこれらの面ファスナー３６ａ、３７ａの長さの範囲内で調節することにより、ハンドル２４の長さを調節することができる。
【００３０】
次に、図３に示したように、先にカバー片４０をベルト端部３６上に折り重ね、さらにその上に他方のカバー片３９を折り重なると、対向する固定用面ファスナー３９ａ、４０ａが結合され、ベルト基部３５とベルト端部３６，３７がカバー基部３８と一対のカバー片３９、４０で挟持された状態となり、ハンドル２４が構成される（図４、図５参照）。
【００３１】
前記のハンドル２４を構成するカバー基部３８の長さは、図５に示したように、両方のベルト挿通部３３、３４との間の間隔のほぼ全長に達する長さであり、また、そのカバー基部３８と胴部２５の間隔Ｗは使用者の４本の指先を揃えて挿入できる程度に設定される（図７参照）。
【００３２】
使用者は前記のハンドル２４を握り液体容器２１を横向きにして携行することもできるが、図７に示したように、前記のすき間Ｗに手を差し込み、胴部２５を把持して液体容器２１を持ち上げると、片手飲みすることができる。このとき、手の甲がカバー基部３８の内面に当たるので、安定良く把持することができる。手を差し込む際、ベルトカバー部２３が若干持ち上げられるが、ベルト２２はその変形に柔軟に対応することができる。また。カバー基部３８を柔軟な素材で形成しておくことにより手の甲に対する触感が向上する。
【００３３】
ハンドル２４は、ベルト基部３５がカバー基部３８に縫着により固定され、またベルト端部３６、３７相互が調節用面ファスナー３６ａ、３７ａ、即ち長さ調節部５０によって結合されているが、万一調節用面ファスナー３６ａ、３７ｂの結合が外れることがあると、ベルト２２がベルトカバー２３とともにベルト挿通孔３３ａ、３４ｂから抜け出すおそれがある。
【００３４】
このようなおそれを解消するとともに、長さ調節部５０をカバーして外観を整えるために両側のカバー片３９、４０が設けられ、これらのカバー片３９、４０の固定用面ファスナー３９ａ、４０ａを結合させることにより、長さ調節部５０を押さえるとともにカバーしている。これにより調節用面ファスナー３６ａ、３７ａの結合が外れるおそれが解消され、外観も良好になり、かつ把持し易くなる。
【００３５】
なお、中央カバー片４１と一方のハンドル端部３７の対向面に設けた結合用面ファスナー４１ａ、３７ｂはベルト２２とベルトカバー部２３との結合を一層確実にする作用があるが、両側のカバー片３９，４０によって長さ調節部５０が押さえられベルト２２とベルトカバー部２３の一体化が図られるので、該結合用面ファスナー４１ａ、３７ｂを省略してもよい。
【００３６】
使用前又は使用中において、ハンドル２４の長さを調節する場合は、図２（ａ）に示したように、両方のカバー片３９、４０を開放し、その上でベルト端部３６、３７の調節用面ファスナー３６ａ、３７ａの結合位置を長さ方向にずらせることにより、長さ調整することができる。
【００３７】
また、ベルト２２部分の洗濯等の手入れを行う際は、図２の状態からベルト端部３６、３７をそれぞれベルト挿通部３３、３４から抜き出す。そうすると、図１に示したように、ベルト２２とベルトカバー部２３が一体となって液体容器２１から分離されるので、容易に手入れをすることができる
【実施例２】
【００３８】
前記のハンドル２４の一層実際的な構造を実施例２として図８に示す。この場合は、カバー基部３８として合成樹脂製の表シート４３に芯材４４を裏打ちしたものを用い、その裏面に布製カバー４５を当て、さらに前記表シート４３と中央カバー片４１’との間にベルト基部３５を介在している。また、前記中央カバー片４１’の両側辺にカバー３９、４０の一側辺を重ね、さらにテープ４６を被せ、縫目４７によりカバー基部３８の全周にテーピングを施している。その他の構成は前述の実施例１と同様である。
【実施例３】
【００３９】
図９に示した実施例３は、ランチジャー４８に肩掛け形式のベルトを取り付けたものである。前記実施例１のベルト２２の長さを肩掛け形式に必要な長さに変えたものであり、中央部分に前記と同様のベルトカバー部２３が設けられる。ベルト２２の長さを適当に設定することにより、吊り持ち式とすることもできる。
【００４０】
いずれの形式においても、前記実施例１の場合と同様の要領で長さ調節をすることができる。また、ベルトカバー部２３が肩パット、グリップ等の機能を果たす。
【図面の簡単な説明】
【００４１】
【図１】実施例１の分解斜視図
【図２】（ａ）同上のハンドル装着途中の一部斜視図、（ｂ）（ａ）図の一部断面図
【図３】同上のハンドル装着途中の一部斜視図
【図４】同上のハンドル装着状態の一部斜視図
【図５】同上のハンドル部分の縦断側面図
【図６】同上のハンドル部分の横断平面図
【図７】同上の使用状態の斜視図
【図８】（ａ）実施例２のハンドル部分の拡大断面図、（ｂ）（ａ）図の斜視図
【図９】実施例３の斜視図
【図１０】（ａ）従来例の正面図、（ｂ）（ａ）図の一部斜視図
【図１１】他の従来例の一部断面図
【符号の説明】
【００４２】
２１  液体容器
２２  ベルト
２３  ベルトカバー部
２４  ハンドル
２５  胴部
２６  肩部材
２７  栓体
２８  飲み口
２９  キャップ
３０  栓カバー部
３１  紐
３２  底部材
３３  ベルト挿通部
３３ａ  挿通孔
３４  ベルト挿通部
３４ａ  挿通孔
３５  ベルト基部
３６  ベルト端部
３６ａ  調節用面ファスナー
３７  ベルト端部
３７ａ  調節用面ファスナー
３７ｂ  結合用面ファスナー
３８  カバー基部
３９  カバー片
３９ａ  固定用面ファスナー
４０  カバー片
４０ａ  固定用面ファスナー
４１、４１’  中央カバー片
４１ａ  結合用面ファスナー
４２  縫目
４３  表シート
４４  芯材
４５  布製カバー
４６  テープ
４７  縫目
４８  ランチジャー
５０  ベルト長さ調節部
【図１】
0004531684.tif 000002
【図２】
0004531684.tif 000003
【図３】
0004531684.tif 000004
【図４】
0004531684.tif 000005
【図５】
0004531684.tif 000006
【図６】
0004531684.tif 000007
【図７】
0004531684.tif 000008
【図８】
0004531684.tif 000009
【図９】
0004531684.tif 000010
【図１０】
0004531684.tif 000011
【図１１】
0004531684.tif 000012